(57)【特許請求の範囲】
【請求項１】
推進ユニット補助ブレーキ（２５）を有する推進ユニット（１１）、トランスミッション（２０）、駆動輪（４）、及び、少なくとも前記トランスミッション（２０）を制御するように構成された制御ユニット（４０）を含み、
前記推進ユニット（１１）が、前記トランスミッションにおけるクラッチ（２２）及び異なるギア比を有する噛合可能な複数のギア（３２、３７、３４、３８）を介して前記駆動輪に駆動可能に連結されており、
前記制御ユニットが、ギアをアップシフトする際に、
前記クラッチ（２２）を自動的に切断して前記推進ユニット（１１）を前記トランスミッションから切り離すステップ、
前記トランスミッションを現在のギア（３２、３７）から新たなギア（３４、３８）にアップシフトするステップ、
前記推進ユニットの回転速度を、噛合させる前記新たなギアの回転速度まで低下させて同期させるように同期を開始するステップ、
を実行するように構成されている、車両パワートレイン（１０）であって、
前記補助ブレーキの温度を示すように構成された温度センサ（４５）を更に含み、
前記制御ユニット（４０）は、前記温度センサから温度情報信号を入力するように構成されており、前記制御ユニット（４０）は、前記温度センサから入力した温度情報信号が示す前記温度が、第１の所定値未満であること、及び、第２の所定値を超えたことの少なくとも一方のときに、前記補助ブレーキ（２５）による制動能力を利用できないと判定することにより前記同期を実行できないことを検知するように構成されており、
前記制御ユニットは、更に、
前記制御ユニットが前記補助ブレーキを制御して前記推進ユニットの前記回転速度に制動をかけることで前記推進ユニットの前記回転速度を低下させることによっては前記同期を実行できないと前記制御ユニットが判定した場合に、前記同期を実行するように前記クラッチの再係合を自動的に開始するステップを実行するように構成されていることを特徴とする、車両パワートレイン。
【請求項２】
前記温度センサは、周囲温度、前記推進ユニット補助ブレーキの温度及び前記推進ユニットの温度の少なくとも１つを測定するように構成されていることを特徴とする、請求項１に記載の車両パワートレイン。
【請求項３】
前記制御ユニットは、前記補助ブレーキ（２５）が故障したことを検知し判定することにより前記同期を実行できないことを検知するように構成されていることを特徴とする、請求項１に記載の車両パワートレイン。
【請求項４】
前記推進ユニットは、内燃機関であり、前記補助ブレーキは、エンジン圧縮開放ブレーキであることを特徴とする、請求項１に記載の車両パワートレイン。
【請求項５】
前記補助ブレーキは、発電機であり、前記推進ユニットは、電動モータ及び内燃機関の一方であることを特徴とする、請求項１に記載の車両パワートレイン。
【請求項６】
推進ユニット補助ブレーキを有する推進ユニット、トランスミッション及び駆動輪を含み、前記推進ユニットが前記トランスミッションにおけるクラッチ及び異なるギア比を有する噛合可能な複数のギアを介して前記駆動輪に駆動可能に連結されており、
ギアをアップシフトする際に自動的に、
前記クラッチを切断して前記推進ユニットを前記トランスミッションから切り離すステップ、
前記トランスミッションを現在のギア（３２、３７）から新たなギア（３４、３８）にアップシフトするステップ、
前記推進ユニットの回転速度を、噛合させる前記新たなギアの回転速度まで低下させて同期させるように同期を開始するステップ、を含む車両パワートレインのギアをアップシフトする方法であって、
前記補助ブレーキの温度が、前記補助ブレーキが作動できない第１の所定値未満であること、及び、前記補助ブレーキが作動できない第２の所定値を超えたことの少なくとも一方を判断することで前記同期を実行できないと判定するステップ、及び、
前記補助ブレーキを制御して前記推進ユニットの前記回転速度に制動をかけることで前記推進ユニットの回転速度を低下させることによっては前記同期を実行できないと判定した場合に、前記同期を実行するように前記クラッチの再係合を開始するステップを含むことを特徴とする、方法。
【請求項７】
前記補助ブレーキ（２５）が故障したと判定することによって、前記同期を実行できないと判定するステップを更に含むことを特徴とする、請求項６に記載の方法。
【請求項８】
前記補助ブレーキを制御することにより前記同期を部分的にのみ実行できると判定した場合に、前記補助ブレーキと前記クラッチの再係合とを並行して制御することで前記同期を自動的に実行するステップを更に含むことを特徴とする、請求項６に記載の方法。
【請求項９】
コンピュータで実行されるとき、請求項６〜請求項８のいずれか１つに記載のステップを実行するためのプログラムコード手段を含むコンピュータプログラム。
【請求項１０】
コンピュータで実行されるとき、請求項６〜請求項８のいずれか１つに記載のステップを実行するためのプログラムコード手段を含むコンピュータプログラムを保持したコンピュータ可読媒体。
【請求項１１】
車両パワートレインを作動させる制御ユニット（４０）であって、請求項６〜請求項８のいずれか１つに記載の方法のステップを実行するように構成された、制御ユニット。
【発明の詳細な説明】
【技術分野】
【０００１】
本発明は、車両パワートレイン及びパワートレインにおいてギアをアップシフトする方法に関する。本発明は、トラック、バス及び建設機械などの大型車両、並びに、乗用車などの小型車両に適用可能である。本発明は、トラックに関して説明されるが、本発明は、この特定の車両に限定されるものではなく、バス、建設機械及び乗用車などの他の車両に用いられてもよい。
【背景技術】
【０００２】
推進ユニットとオートマチックトランスミッションとの間に配置された自動クラッチを含む車両パワートレインでは、クラッチを切断してギアをアップシフトしている間、推進ユニットに駆動可能に連結されている、エンジン圧縮開放ブレーキ、排気ブレーキ又は発電機などの補助ブレーキを利用して、推進ユニットの回転速度を、新たに選択されるより高いギア段のギアと同期する回転速度まで低下させることができる。制御ユニットは、新たな高いギア段のギアを介して推進ユニットを駆動輪に駆動可能に連結すべくクラッチを再係合させる前に、補助ブレーキを制御して、推進ユニットの回転速度を新たな高いギア段のギアの速度と同期する回転速度まで低下させるように構成されている。推進ユニットの回転速度が新たなギアの回転速度と同期したことを制御ユニットが検知（registers）すると、制御ユニットは、クラッチを再係合させるように構成されており、パワートレインは、新たな高いギア段のギアに噛み合った状態で車両を推進することができる。このような手順は、補助ブレーキを用いた回転速度の同期によってギアシフトプロセスをより素早く行うことができ、アップシフト全体にかかる時間を低減させることができる。
【発明の概要】
【発明が解決しようとする課題】
【０００３】
ギアをアップシフトしている間の推進ユニット補助ブレーキを用いた制動は良好に機能するが、何らかの理由で推進ユニット補助ブレーキが作動できなくなることがあり、推進ユニットの回転速度を推進ユニットの内部回転摩擦を利用して低下させなければならなくなるので、ギアのアップシフトにより多くの時間を要してしまう。
【０００４】
本発明は、上述した課題を解決する方法及びシステムを提供することを目的とする。
【課題を解決するための手段】
【０００５】
本発明は、パワートレインと、補助ブレーキ並びにクラッチ及び噛合可能な複数のギアを有するトランスミッションを備えたパワートレインにおいてアップシフトを制御する方法と、を提供することを目的とする。この目的は、添付した特許請求の範囲に記載の方法及びシステムによって達成される。
【０００６】
本明細書において、「補助ブレーキ（auxiliary bake）」という用語は、車両の制動を補助する追加の手段を示すのに用いられる。車両において、補助ブレーキは、サービスブレーキに加えて用いられるが、このサービスブレーキによる補助を必要とすることなく長時間の制動を可能とするものである。これにより、サービスブレーキの消耗及び不要な発熱を抑制することができる。推進ユニットが内燃機関である場合には、このような補助ブレーキは、排気ブレーキを駆動するための排気バルブと、圧縮開放エンジンブレーキを駆動するためのエンジンブレーキバルブと、を含み、補助ブレーキは、エンジン速度及びギア選択に依存する。また、補助ブレーキは、内燃機関と電動モータとのいずれか一方である推進ユニットと組み合わせた発電機であってもよい。
【０００７】
本発明の第１の側面によると、本発明の目的は、添付の装置クレームに記載の車両パワートレインによって達成される。本発明は、推進ユニット補助ブレーキを有する推進ユニット、トランスミッション、駆動輪、及び、少なくともトランスミッションを制御するように構成された制御ユニットを含む車両パワートレインに関する。この推進ユニットは、トランスミッションにおけるクラッチ及び異なるギア比を有する噛合可能な複数のギアを介して駆動輪に駆動可能に連結されている。制御ユニットは、ギアをアップシフトする際に、以下のステップを実行するように構成されている。
クラッチを自動的に切断して推進ユニットをトランスミッションから切り離すステップ、
トランスミッションを現在のギアから新たなギアにアップシフトするステップ、
推進ユニットの回転速度を、噛合させる新たなギアの回転速度まで低下させて同期させるように同期を開始するステップ、
制御ユニットが補助ブレーキを制御して推進ユニットの回転速度に制動をかける（brake）ことで推進ユニットの回転速度を低下させることによっては同期を実行できないと制御ユニットが判定した場合に、同期を実行するようにクラッチの再係合を自動的に開始するステップ。
【０００８】
オートマチックトランスミッションが低いギア段のギアから高いギア段のギアにアップシフトしようとしているが、補助ブレーキを用いた推進ユニットの回転速度の同期を実行できないとき、制御ユニットは、クラッチを使用して、高いギア段のギアと推進ユニットとの間の回転速度差の完全な同期を達成するように構成されている。このようにして、制御ユニットは、補助ブレーキを利用できないことを検出すると、推進ユニットの内部摩擦を利用して推進ユニットの回転速度が低下するのを待つ代わりに、クラッチを用いた回転速度の同期を自動的に開始する。もう１つの有利な効果として、推進ユニットの回転速度を新たな高いギア段を有するギアの回転速度まで低下させることにより回転エネルギーが熱に変換される代わりに、車両を前進させる推進力に回転エネルギーを使用することができる。
【０００９】
第１の代替例によると、車両パワートレインは、補助ブレーキの温度を示すように構成された温度センサを更に含み、制御ユニットは、この温度センサから温度情報信号を入力するように構成されている。制御ユニットは、温度センサから入力した温度情報信号が示す温度が、第１の所定値未満であるとき、及び／又は、第２の所定値を超えるとき、補助ブレーキによる制動能力（braking performance）を利用できないと判定することにより同期を実行できないことを検知（register）するように構成されている。したがって、ある代替例によれば、補助ブレーキの温度が低過ぎる、すなわち、温度が第１の所定値未満である場合に、補助ブレーキがその作動温度の範囲外であると判定される。他の代替例によれば、補助ブレーキの温度が高過ぎる、すなわち、温度が第２の温度を超える場合に、補助ブレーキがその作動温度の範囲外であると判定される。更に他の代替例では、第１の所定値及び第２の所定値の両方を用いることができ、このことは、補助ブレーキが作動できる温度範囲が規定されることを意味している。
【００１０】
先に示した例の更なる発展例として、温度センサは、周囲温度、推進ユニット補助ブレーキの温度及び／又は推進ユニットの温度を測定するように構成されている。
【００１１】
第２の代替例によると、制御ユニットは、補助ブレーキが故障したことを検知し判定することにより、同期を実行できないことを検知するように構成されている。そのため、制御ユニットは、補助ブレーキからの故障信号を検出するように構成されている。故障信号が検出されたとき、制御ユニットは、回転速度差の同期に代えてクラッチを使用するように構成されている。
【００１２】
更なる代替例によると、推進ユニットは、内燃機関であってもよく、補助ブレーキは、エンジン圧縮開放ブレーキであってもよい。
【００１３】
本発明の他の代替例において、補助ブレーキは、発電機であり、推進ユニットは、電動モータ及び内燃機関の一方である。したがって、車両パワートレインは、クラッチと、噛合可能な複数のギアを有するトランスミッションとを介して駆動輪に駆動可能に連結された電動発電機（electric motor/generator）を含む完全な電動パワートレインであってもよいし、トランスミッションにおけるクラッチ及び噛合可能な複数のギアを介して駆動輪に駆動可能に連結された内燃機関と、補助ブレーキとして使用可能な少なくとも１つの発電機（好ましくは、電動モータと組み合わせられる）と、を含むハイブリッド電動パワートレインであってもよい。
【００１４】
本発明の第２の側面によると、この目的は、添付の方法クレームに記載の車両パワートレインのギアをアップシフトする方法によって達成される。本発明は、推進ユニット補助ブレーキを有する推進ユニット、トランスミッション及び駆動輪を含む車両パワートレインのギアをアップシフトする方法に関し、推進ユニットは、トランスミッションにおけるクラッチ及び異なるギア比を有する噛合可能な複数のギアを介して駆動輪に駆動可能に連結されている。この方法は、ギアをアップシフトする際に自動的に実行される以下のステップを含む。
クラッチを切断して推進ユニットをトランスミッションから切り離すステップ、
トランスミッションを現在のギアから新たなギアにアップシフトするステップ、
推進ユニットの回転速度を、噛合させる新たなギアの回転速度まで低下させて同期させるように同期を開始するステップ、
制御ユニットが補助ブレーキを制御して推進ユニットの回転速度に制動をかけることで推進ユニットの回転速度を低下させることによっては同期を実行できないと判定した場合に、同期を実行するようにクラッチの再係合を開始するステップ。
【００１５】
有利な点は、対応する装置クレームと同様である。
【００１６】
第１の代替例によると、この方法は、温度が、補助ブレーキを作動できない第１の所定値未満であること及び／又は第２の所定値を超えたことを判断（measuring）することで同期を実行できないと判定することを規定している。
【００１７】
更なる代替例によると、この方法は、補助ブレーキが故障したと判定することにより同期を実行できないと判定することを規定している。
【００１８】
他の代替例によると、この方法は、補助ブレーキを制御することにより同期を部分的にのみ実行できると判定した場合に、補助ブレーキとクラッチの再係合とを並行して制御することにより同期を自動的に実行することを規定している。
【００１９】
本発明の更なる側面によると、本発明の目的は、それぞれ、方法クレームのステップを実行可能な、コンピュータプログラム、コンピュータ可読媒体及び制御ユニットによって達成される。
【００２０】
用語「駆動可能に連結する」は、一般に、第１のコンポーネントから第２のコンポーネントへの回転運動及び／又は回転トルクの伝達が可能となるように第１のコンポーネントを第２のコンポーネントに連結することを意味している。したがって、この用語は、第１のコンポーネントの回転速度が第２のコンポーネントの回転速度に一致（corresponds）するように２つのコンポーネント同士が連結されているという機能的構造を包含するものである。但し、この用語は、また、第１のコンポーネントの回転速度と第２のコンポーネントの回転速度との比が存在する、すなわち、第２のコンポーネントの回転速度が第１のコンポーネントの回転速度に比例しているという機能的構造を包含するものである。
【００２１】
また、本発明の他の特徴及び有利な点は、添付した特許請求の範囲及び以下の説明を検討すれば明らかとなるであろう。当業者であれば、本発明の範囲を逸脱することなく、本発明の様々な特徴を組み合わせて、後述の実施形態以外の実施形態を生み出すことが可能であると認識するであろう。
【００２２】
以下、本発明を例示する実施形態について添付図面を参照してより詳細に説明する。
【図面の簡単な説明】
【００２３】
【図１】本発明の実施形態による車両パワートレインが設けられた車両の概略図である。
【図２】本発明の実施形態によるパワートレインを示す図である。
【図３】本発明による方法を実行するための概略的なフローチャートである。
【図４】コンピュータ装置に適用した本発明を示す図である。
【発明を実施するための形態】
【００２４】
本開示は、車両パワートレイン及び車両パワートレインのトランスミッションにおいてクラッチを制御する方法に関連する。図１を参照すると、クラッチは、例えば、運転室６、一対の前輪７、駆動輪として機能する２対の後輪４を有する大型又は小型のトラック５に含まれてもよい。
【００２５】
図２は、簡略化した例示的な実施形態として、例えば、図１における車両の２つの前進ギア１、２を有する車両パワートレイン１０の概略図を示す。内燃機関又は電動機などの推進ユニット１１は、推進ユニット出力シャフト１２を介してトランスミッション２０に連結されている。トランスミッション２０のトランスミッション出力シャフト１３は、後車軸差動装置１４及び２つの駆動シャフト１５を介して後輪４に駆動可能に連結されている。
【００２６】
トランスミッション２０は、ギアボックス２１の第１又は第２のギアを介して推進力を伝達する摩擦クラッチ２２を含む。クラッチ２２の係合又は切断は、電子制御ユニット４０によって制御される。
【００２７】
ギアボックス入力シャフト２６は、第１の遊転歯車（loose gearwheel）３２及び第２の遊転歯車３４を保持しており、第１の遊転歯車３２及び第２の遊転歯車３４のいずれか一方は、ツースクラッチ（tooth clutch）３６を用いてギアボックス入力シャフト２６に選択的に回転可能にロックすることができる。ツースクラッチ３６の作動位置は、電子制御ユニット４０により制御されるツースクラッチ作動機構（図示省略）によって制御される。このようなツースクラッチ作動機構は当業者に知られている。
【００２８】
トランスミッション（又はギアボックス）出力シャフト１３は、第１の出力歯車（output gearwheel）３７を保持している。第１の出力歯車３７は、トランスミッション出力シャフト１３に回転可能に固定され、第１の遊転歯車３２と噛み合っている。トランスミッション出力シャフト１３は、更に、第２の出力歯車３８を保持している。第２の出力歯車３８は、トランスミッション出力シャフト１３に回転可能に固定され、第２の遊転歯車３４と噛み合っている。
【００２９】
自動的又は半自動的なギアシフトは、電子制御ユニット４０が、摩擦クラッチ２２の係合位置を制御し、また、ツースクラッチ作動機構を介してツースクラッチ３６の作動位置を制御することで実行される。
【００３０】
図２に開示するように、推進ユニット１１は、推進ユニット１１の回転速度に制動をかけるように構成された補助ブレーキ２５に駆動可能に連結されている。補助ブレーキ２５の作動は、図示した電子制御ユニット４０又はこの制御ユニット４０と通信可能な第２の制御ユニット（図示省略）によって制御可能である。
【００３１】
図２に開示した実施形態は、補助ブレーキ２５の温度を測定するように構成され得るか、又は、推進ユニットの温度を測定することで補助ブレーキの温度を間接的に測定するように構成され得る温度センサ４５を更に示している。補助ブレーキが推進ユニットと一体化されている場合、推進ユニット１１の温度を測定することによって補助ブレーキの温度を精度良く推定することができる。例えば、推進ユニットが内燃機関である場合には、温度センサを、内燃機関の潤滑媒体（潤滑油）の温度を測定するように構成し、推進ユニットと一体化された補助ブレーキが潤滑媒体と略同じ温度を有するとみなすことができる。
【００３２】
また、補助ブレーキ２５と制御ユニット４０との間の通信回線は、補助ブレーキのステータス（status）を示す信号の伝達に使用可能である。補助ブレーキは、例えば、補助ブレーキが全制動力若しくは全制動力の一部（例えば、全制動力の１／２）を供給する場合を示すステータス信号、又は、制動力を全く供給しない、すなわち、例えば、補助ブレーキが故障したか若しくは何らかの理由で一時的に使用不可である場合を示すステータス信号を制御ユニット４０に送信することができる。
【００３３】
図３に示す本発明の実施形態によれば、制御ユニット４０は、ギアをアップシフトする際に以下のステップを実行するように構成されている。
ステップ１０１では、制御ユニットは、推進ユニット１１をトランスミッション２０から切り離すために、クラッチ２２の係合を自動的に解除するように構成されている。
ステップ１０２では、トランスミッションを、現在のギア（３２、３７）から新たなギア（３４、３８）にアップシフトする。
ステップ１０３では、推進ユニットの回転速度を、噛合させる新たなギアの回転速度まで低下させて同期させるために、同期を開始する。
ステップ１０４では、制御ユニットは、制御ユニットが補助ブレーキを制御して推進ユニットの回転速度に制動をかけることで推進ユニットの回転速度を低下させることによって同期を実行できるか否かを判断する。補助ブレーキを用いて同期を実行できないと判断した場合には、その後、ステップ１０５に進み、補助ブレーキを用いて同期を実行できると判断した場合には、その後、ステップ１１０に進む。ステップ１１０では、同期は、補助ブレーキによって実行される。このようなステップ１１０は、当業者に知られている。
ステップ１０５では、同期を達成するために、クラッチの再係合を自動的に開始する。したがって、補助ブレーキを用いることのみに代えて、クラッチを係合させることによって同期が達成される。
【００３４】
ステップ１０４で制御ユニットによってなされる判定は、温度センサ４５から入力した温度信号に基づくものであってよい。上述したように、温度センサ４５は、補助ブレーキの温度を検出するように構成されている。制御ユニット４０は、温度センサから温度情報信号を入力するように構成されている。温度センサから入力した温度情報信号が示す温度が、第１の所定値未満である場合、及び／又は、第２の所定値を超える場合、制御ユニットは、補助ブレーキを用いた同期を実行できないことを検知するように構成されており、次のステップとしてステップ１０５を選択する。第１の所定値は、第２の所定値よりも低い値である。第１の所定値と第２の所定値との間には、ある実施形態で第１及び第２の所定値の両方が用いられる場合に補助ブレーキが作動できる温度範囲が規定される。第１の所定値及び第２の所定値の一方のみが用いられる場合の実施形態も存在し得る。
【００３５】
ステップ１０４で制御ユニットによってなされる判定は、また、補助ブレーキのステータスを示す、補助ブレーキから入力した信号に基づくものであってもよい。したがって、制御ユニットが、例えば、補助ブレーキ２５と制御ユニット４０との間の通信回線を介して、補助ブレーキ２５が故障したことを示す信号を入力して検知した場合、制御ユニット４０は、補助ブレーキを用いた同期を実行できないことを検知するように構成されており、次にステップとしてステップ１０５を選択する。
【００３６】
ステップ１０４で制御ユニットによってなされる判定は、また、補助ブレーキを制御することによって同期を部分的にのみ実行できること、すなわち、例えば、何らかの理由で最大限の制動能力の半分だけが利用可能であることを示す、補助ブレーキから入力した信号に基づくものであってもよい。この場合、制御ユニットは、補助ブレーキとクラッチの再係合とを並行して制御することで同期を自動的に実行するようにプログラムされていてもよい。
【００３７】
したがって、本発明の実施形態に応じてステップ１０４で制御ユニットによってなされる判定は、上述したパラメータ（温度、ステータス、一部の能力）の１つ以上に基づくものとすることができる。
【００３８】
本発明は、また、パワートレイン１０を制御するための、コンピュータプログラム、コンピュータプログラムを保持したコンピュータ可読媒体、及び、電子制御ユニット４０に関する。図４は、不揮発性メモリ９２０と、データ処理部９１０と、読み書きメモリ９６０を含む電子制御ユニット４０のレイアウトの一例を示す。データ処理部９１０は、例えば、マイクロプロセッサであってよい。
【００３９】
メモリ９２０は、第１のメモリ部９３０及び第２のメモリ部９４０を有してもよい。第１のメモリ部９３０は、そこに保存され、パワートレイン１０を制御するためのコンピュータプログラムを有してもよい。パワートレイン１０を制御するためのメモリ部９３０のコンピュータプログラムは、オペレーティングシステムであってよい。第２のメモリ部９４０は、そこに保存され、特許請求の範囲の方法を実行するためのプログラムを有してよい。代替的な実施形態において、特許請求の範囲の方法を実行するためのプログラムは、例えば、ＣＤ又は交換可能な半導体メモリなど、データ用の別体の不揮発性記憶媒体９５０に保存されていてもよい。プログラムを、実行可能な形式又は圧縮状態で保存することができる。以下、データ処理部９１０が特定の機能を実行することについて述べる場合、データ処理部９１０は、第２のメモリ部９４０に保存されたプログラムの特定の部分、又は、不揮発性記憶媒体９５０に保存された特定の部分を実行するものであることが明らかなはずである。
【００４０】
データ処理部９１０は、データバス９１４を介して記憶媒体９５０と通信するように構成されている。また、データ処理部９１０は、データバス９１２を介してメモリ９２０と通信するように構成されている。さらに、データ処理部９１０は、データバス９１１を介して読み書きメモリ９６０と通信するように構成されている。また、データ処理部９１０は、データバス９１５を使用することによりデータポート９９０と通信するように構成されている。本発明による方法は、データ処理部９１０によって、データ処理部がメモリ９４０に保存されたプログラム又は不揮発性記憶媒体９５０に保存されたプログラムを実行することによって実施され得る。
【００４１】
電子制御ユニット４０の一例としての概略的なレイアウトは、単に、電子制御ユニット４０の一例としての実施形態を示しているにすぎず、また、当業者であれば、特許請求の範囲を逸脱しない範囲内でのレイアウトの様々な変形が可能であることを理解するであろう。
【００４２】
特許請求の範囲に記載の参照符号は、特許請求の範囲によって保護される対象の範囲を限定するものとみなされるべきではなく、その唯一の機能は、特許請求の範囲の理解を容易にするためのものである。
【００４３】
本発明は、上述し且つ図示した実施形態に限定されるものではないことを理解すべきであり、当業者であれば、添付した特許請求の範囲を逸脱しない範囲内で多くの変更及び改良が可能であることが認識されるであろう。
【図１】
0006636619.tif 000002
【図２】
0006636619.tif 000003
【図３】
0006636619.tif 000004
【図４】
0006636619.tif 000005